【事件の表示】
　平成１０年特許願第１１６４４２号「パチンコ機」拒絶査定に対する審判事件［平成１０年１１月１０日出願公開、特開平１０−２９５９１２］について、次のとおり審決する。
【結　論】
　本件審判の請求は、成り立たない。
【理　由】
［１］手続の経緯・本願発明
　本願は、平成３年４月２５日に出願した特願平３−１２１７９９号の一部を平成１０年４月２７日に新たな特許出願としたものであって、特許請求の範囲に記載された請求項１に係わる発明は、当該請求項に記載された次のとおりのものと認める。（以下「本願発明」という）。
【請求項１】
　「遊技装置及び入賞球通路等を備えて前枠に取り付けられる遊技盤と、
　上記前枠の背面側に設けられる、遊技装置の遊技制御を行う遊技制御回路と、
　パチンコ機本体側の賞球払出装置の制御処理を行う本体制御回路と、
　本体用外部中継基板と、
　遊技用外部中継端子部とを有し、　
　上記遊技制御回路は遊技盤の背面に突き出した遊技装置を避けた位置の遊技盤に配置し、
　上記本体制御回路は上記入賞球通路を避けた上記前枠の遊技盤が取り付けられる下方に配置し、
 上記遊技制御回路及び本体制御回路から管理コンピュータ側へ出力される外部出力情報を中継する出力端子を、
 遊技盤に設けた遊技用外部中継端子部と前枠背面に設けた本体用外部中継基板とに別個に設けるとともに、
 上記遊技制御回路を形成する遊技制御回路基板を収設する遊技制御回路ボックスを内部を透視可能な合成樹脂で形成したこと
 を特徴とするパチンコ機。」　　
　　
　　　
［２］刊行物に記載された発明
　原査定の拒絶の理由に引用された（１）特開平１−１７０４８７号公報、（２）実願昭６２−３８１５４号（実開昭６３−１４６６８８号）のマイクロフィルム、（３）実公平２−３９５０６号公報、及び本願出願前に頒布された刊行物である（４）実願昭６２−１４０１４号（実開昭６３−１２２４６９号）のマイクロフィルムには、以下の事項が記載されている
（１）特開平１−１７０４８７号公報（以下「刊行物１」という）記載事項。　
　（１−１）．「しかし、遊技盤の交換サイクルに対して賞球排出処理に関係する裏機構の交換サイクルは長いため、遊技盤を複数系統の賞球を排出する遊技盤に交換したり、１系統の貸球しか排出しない遊技盤に交換したりして使う場合が生ずる。」（第１頁右欄第６〜１０行）
　（１−２）．「［実施例］　第１図は、この発明が適用されたパチンコ遊技機の遊技盤１の構成例を示すもので、該遊技盤１は図示省略のパチンコ遊技機本体に対して着脱可能である。」（第２頁右上欄第８〜１２行）　
　（１−３）．「第３図には、上記裏機構盤８０の背部に取付けられる裏機構の構成例を示す。」（第４頁右上欄第１０〜１１行）
　（１−４）．「遊技盤１の裏側に接合される裏機構盤８０（第３図）の上部には、」（第５頁右上欄第１５〜１６行）
　（１−５）．「第６図には、裏機構盤８０に取り付けられる上記裏機構のうちの入賞処理装置７８、入賞球導出樋７９、駆動制御機構２００および該駆動制御機構２００を作動させるモーター８２等が設置された裏蓋１１３部分等を分解斜視図として詳しく示す。」（第６頁右上欄第１０〜１５行）」）
　（１−６）．「この実施例の場合、賞球排出制御基板３００と役物制御装置４００とはそれぞれ別個のものとされており、賞球排出制御基板３００は上記裏機構盤８０の裏蓋１１３（第６図）の内側に取り付けられ、役物制御装置４００は第３図に示すように裏機構盤８０の裏側に着脱可能に取付られている。そして、裏蓋１１３は、この実施例の場合、前記裏機構盤８０に対しねじ止め等によって着脱可能に取り付けられている。」（第１２頁右上欄第６〜１４行）
　（１−７）．「１系統賞球排出の遊技盤と複数系統賞球排出の遊技盤とを交換するとともにそれら遊技部と１対１に対応して作られた役物制御装置を交換することにより、１系統賞球排出のパチンコ遊技機と複数系統賞球排出のパチンコ遊技機との入れ換えが可能となってパチンコ遊技機の裏機構盤の有効利用ができることとなって、パチンコ遊技機の裏機構盤の有効利用が可能となる。」（第１４頁右上欄第１９行〜左下欄第６行）
　（１−８）．図３、及び図５を参照すると、賞球排出制御基板３００は、符号８４より下方に位置し、当該符号８４は、「流出口８４を介して、遊技機前面の供給皿（図示省略）へ排出される。供給皿が一杯になると、オーバーフロー樋８５を通って下方の受皿（図示省略）へ流出される」（第５頁右上欄第２〜５行）ものであり、当該供給皿、オーバーフロー樋、下方の受皿との配置関係から判断すれば、当該賞球排出制御基板３００は遊技盤の下方に配設されていること、および入賞球通路と重畳していないこと等が明らかである。
　（１−９）．そこで刊行物１に記載されている発明を本願発明になぞらえて記載すると次とおりであると認められる。
　まず、構成の対応関係を見ると、
　（ア）．前者（刊行物１）における「パチンコ遊技機本体」は、前記（１−２）の記載より遊技盤を取付るものであるから、後者（本願発明）の「前枠」相当する。
　（イ）．前者における「役物制御装置４００」及び「賞球排出制御基板３００」は、その機能から、後者における「遊技制御回路」及び「本体制御回路」に相当する。
　（ウ）．前者における「裏機構盤８０」は、前記（１−４）、（１−３）の記載から、遊技盤１の裏側に接合され、裏機構が取付けられるものであり、「裏機構」としては、前記（１−５）、（１−６）の記載から、入賞処理装置７８、入賞球導出樋７９，駆動制御機構２００、賞球排出制御基板３００があり、それらは裏蓋を介して裏機構盤８０に配設されているものである。
　一方、後者における「リアプレート」は、本願明細書【０００８】欄に、「一方、図２は前枠２の背面図であって、上記前枠２の背面側には、遊技盤１２を収納する皿枠状の金属板からなるリヤプレート２３（機構板）を添設し、このリヤプレート２３の背面側にはベース本体２４等の機構枠体を設ける。尚、この機構枠体はパチンコ機１の背面側における主要部材を前枠２の裏面側に取り付けるための部材の総称である。そこで、上記リヤプレート２３には蝶番２５を介して機構枠体の一部である可動枠体２６を開閉可能に蝶着する。この可動枠体２６は上枠体部分２６ａと下枠体部分２６ｂとからなる分離可能な部材であって、上枠体部分２６ａには賞球払出装置２７を形成すると共に賞球誘導路２８や賞球放出路２９等を形成する。前記可動枠体２６は導電性部材で形成し、前記蝶番２５を介して球に帯電する静電気をリヤプレート２３に逃している。」と記載され、
　リアプレート２３（機構板）に取付けられる機器として、【０００９】欄に「・・・。そして、両枠体部分２６ａ、２６ｂから外れた下方位置のリアプレート２３には固定枠体３３を設けて、打球発射装置、入賞球処理装置、賞球払出装置２７等、主にパチンコ機本体側の制御処理を行う本体制御回路を形成した回路基板を収設する本体制御ボックス３４を設ける。・・・」と記載されている。
　これらの記載を参照すると、リヤプレート２３（機構板）は、遊技盤１２を収納する皿枠状の金属板であり、その背面側にはベース本体２４等の機構枠体が設けられるものであり、この機構枠体はパチンコ機１の背面側における、本体制御回路、入賞球処理装置等の主要部材を前枠２の裏面側に取り付けるための部材であると認められる。
　してみると、前者（刊行物１）における「裏機構盤」、「裏機構」は、後者における「リヤプレート（機構板）」「打球発射装置、入賞球処理装置、賞球払出装置２７等、主にパチンコ機本体側の制御処理を行う本体制御回路を形成した回路基板」に相当する。
　したがって、刊行物１には、
　「遊技装置及び入賞球通路等を備えて前枠に取り付けられる遊技盤と、
　上記前枠の背面側に設けられる、遊技装置の遊技制御を行う遊技制御回路と、
　パチンコ機本体側の賞球払出装置の制御処理を行う本体制御回路とを備え、
　上記本体制御回路は、上記入賞球通路を避けた上記前枠の遊技盤が取り付けられる下方に配置したことを特徴とするパチンコ機。」
が記載されている。　　
　　
（２）実願昭６２−３８１５４号（実開昭６３−１４６６８８号）のマイクロフィルムに（以下「刊行物２」という）、
　（２−１）．「２．実用新案登録請求の範囲　（１）　弾球遊技機と、その弾球遊技機の情報を処理するための情報処理装置とを電気的に接続するための構造であって、前記弾球遊技機と前記情報処理装置との間に接続端子板を設け、前記弾球遊技機と前記接続端子板、および、前記接続端子板と前記情報処理装置を、それぞれ、接続コードによって電気的に接続し、しかも、前記接続端子板に接続される接続コードの少なくとも一方は、接続端子板に対して着脱自在にされていることを特徴とする、弾球遊技機と情報処理装置との接続構造」（第１頁第４〜１５行）
　（２−２）．「［従来の技術］　パチンコ機やコイン遊技機等の弾球遊技機は、景品玉がなくなったときの玉切れ検出出力、打止時の打止検出出力、前面枠の開いたときの枠開成検出出力等の各種情報が導出されるようになっている。
　弾球遊技機から出力されるこれら情報は、多くの場合弾球遊技機ごとに個別に表示されるとともに、遊技場に設けられた管理装置（情報処理装置）に与えられて、集中的に管理されるようなシステムになっている。」（第２頁第１１行〜第３頁第１行）
　（２−３）．「［考案が解決しようとする問題点］　ところが、従来のシステムにおいては、各弾球遊技機と情報処理装置とを接続する際、各弾球遊技機から取出された景品玉切れ検出出力用の接続線、打止検出出力用の接続線、前面枠開成検出出力用の接続線等を、それぞれ個別に、情報処理装置に接続しなければならなかった。
　このため、弾球遊技機裏面側において、接続配線が煩雑に絡み合ったり、遊技機の入替時等に、誤配線が生じやすいという欠点があった。」（第３頁第２〜１１行）
　（２−４）．「［考案の効果］　以上のように、この考案は、弾球遊技機と情報処理装置との間に接続端子板を設け、弾球遊技機と接続端子板、および、接続端子板と情報処理装置を、それぞれ、接続コードによって電気的に接続し、しかも、接続端子板に接続される接続コードの少なくとも一方は、接続端子板に対して着脱自在にしたため、弾球遊技機表面側の接続配線をすっきりとまとめることができ、弾球遊技機の入替時に誤配線が生じることのない、作業効率の良い接続構造を提供することができる。」（第３０頁第１〜１１行）
　（２−５）．「第１図を参照して、遊技場に配列された複数台の弾球遊技機１０ａ．１０ｂ．１０ｃ・・・には、それぞれ、接続端子板１２ａ．１２ｂ．１２ｃ．・・・が備えられており、」（第４頁第１５〜１８行）
　（２−６）．「第２図の実施例の特徴は、接続端子板１２ａ．１２ｂ．１２ｃ．・・・を弾球遊技機１０ａ．１０ｂ．１０ｃ・・・と一体的に設けたものではなく、それを弾球遊技機１０ａ．１０ｂ．１０ｃ・・・の近傍に設けた例である。」（第７頁第１４〜１８頁）
　（２−７）．してみると、
　　（あ）「接続端子板」は、前記（２−１）、（２−２）、（２−４）の記載より、玉切れ、打止等の弾球遊技機の各種情報を遊技場に設けられた管理装置（情報処理装置）に与えて集中的に管理するシステムにおいて、当該弾球遊技機の情報と当該情報を処理する情報処理装置とを電気的に接続するものであり、しかも、端子板と弾球遊技機、及び情報処理装置との接続は、接続コードによって電気的に接続され、当該接続コードは接続端子板に着脱自在にされて、弾球遊技機表面の接続配線をすっきりまとめることができ、弾球遊技機の入替時に誤配線を防止しするとともに作業効率を良くしたものであるから、当該接続端子板は機能的に本願発明における「本体用外部中継基板」、「遊技用外部中継端子部」に相当するものと認められる。
　　（い）当該接続端子板の配設箇所は、（２−５）、（２−６）の記載から適宜為し得る設計的事項であると認められる。
　
（３）実公平２−３９５０６号公報（以下「刊行物３」という）記載事項。
　（３−１）．「（考案の効果）　叙上の如く、本考案は、電気的部品を遊技内容に係わる第１電気的部品とコインの制御に係わる第２電気的部品とに類別し、類別された複数個の電気部品をコネクタにより接続する中継基板を介して制御装置と集約的に配線したので配線が大幅に整理統合されて、その取扱いが容易になり、組み立て工程での配線処理作業が簡素化できる。」（第５欄第５〜１２行）
　（３−２）．「第１電気的部品を第２中継基板３０ｂに、第２電気的部品を第１中継基板３０ａに集約して配線している。」（第４欄第３４〜３６行）　　
　　
（４）実願昭６２−１４０１４号（実開昭６３−１２２４６９号）のマイクロフィルム（以下「刊行物４」という）記載事項。
　（４−１）．「以上説明したように上記の本実施例によれば、遊技内容を制御する制御部のケースに貼られた封印紙を破ることなく、制御部内のＣＰＵやＲＯＭ等に貼りつけられた封印紙の異常の有無や封印番号を迅速且つ簡易に検査することができる。
　尚、上記の本実施例では、上部蓋の一部にやや大きめの観察窓を設けたが、本考案はこれに限定されるものではなく、たとえば、封印を施した電子部品のみを検査することができるような小さなものでもよいし、反対に、上部蓋の上面全部を観察窓としたり、上部蓋全体を観察窓としてもよい。
　また、観察窓として使用する材質は、静電気を帯びない材質で、且つ透明な材質たとえば金属の粉を混ぜた導電性のある樹脂等が好ましい。」（第８頁第１２行〜第９頁第５行）　　
　　　
　　　
［３］対比
　前記（１−９）に記載された刊行物１の発明（以下「引用発明」という）  と本願発明とを対比する。
　（１）．対比に先んじて、本願発明において使用されている「遊技用外部中継端子部９６」、「本体用外部中継基板９５」の技術的意義についてまず検討する。
　当該端子部９６、基板９５に関して本願の詳細な説明には以下の記載が認められる。
　　（Ａ）「また、上記中継端子基板８４は、当該中継基板８４上に設けた第２コネクタ６５と各種の配線コネクタ８６…とをプリント配線により繋ぐものである。尚、上記配線コネクタ８６ａ，８６ｄ、８６ｉは遊技盤１２の各種電気部品と接続され、配線コネクタ８６ｂ，８６ｃは遊技盤１２の上方角部に設けた遊技用外部中継端子部９６のコネクタ端子に接続される。」（【００２３】欄第４〜８行）
　　（Ｂ）「そして、本発明では、回路ボックス３１内に収設した遊技制御回路基板３０と本体制御ボックス３４及び遊技盤１２の各電気的機器とは、中継端子基板８４を介して接続してあり、電源や管理コンピュータ等の外部とはリヤプレート２３の上部角部に設けた本体用外部中継基板９５及び遊技盤１２の上方角部に設けた遊技用外部中継端子部９６を介して接続してある。従って、各種信号線並びに各種電気機器は各々他に影響することなく別個に取り外し可能になっている。（【００３３】欄）
　　（Ｃ）「そして、遊技盤１２の裏面側には、遊技装置としての可変表示装置１５や変動入賞装置１６等、主に遊技盤１２側の制御を行う遊技制御回路を形成した遊技制御回路基板３０（以下、回路基板３０という）を収設した遊技制御回路ボックス３１を着脱可能に装着する。また、下枠体部分２６ｂにはセーフ球通路やセーフ球検出装置等を設けると共に、両枠体部分２６ａ，２６ｂには遊技盤１２の後方に臨む球寄せカバー３２を設ける。そして、両枠体部分２６ａ，２６ｂから外れた下方位置のリヤプレート２３には固定枠体３３を設けて、打球発射装置、入賞球処理装置、賞球払出装置２７等、主にパチンコ機本体側の制御処理を行う本体制御回路を形成した回路基板を収設する本体制御ボックス３４を設ける。また、上記固定枠体３３の下方に打球発射装置の駆動部や上受皿７から溢れた球を下受皿１０に誘導する流下樋３５等を設ける。尚、この流下樋３５は導電性部材で形成し、ビス３６にてリヤプレート２３に止着することにより球に帯電する静電気をリヤプレート２３に逃すようにするとよい。」（【０００９】欄）
　してみると、
　本体用外部中継基板９５及び遊技用外部中継端子部９６は、上記（Ｂ）、（Ｃ）、【図２】の記載から、電源や管理コンピュータ等の外部と、遊技制御回路基板、及び本体制御回路を形成した回路基板との接続を行うもので、上記（Ａ）の記載からコネクタ端子を備える構成ものであると認められる。
　　
　（２）．本願発明と刊行物１に記載された発明を比較すると、前記（１−９）の記載から、両者は、
「遊技装置及び入賞球通路等を備えて前枠に取り付けられる遊技盤と、
　上記前枠の背面側に設けられる、遊技装置の遊技制御を行う遊技制御回路と、
　パチンコ機本体側の賞球払出装置の制御処理を行う本体制御回路とを備え、
　上記本体制御回路は、上記入賞球通路を避けた上記前枠の遊技盤が取り付けられる下方に配置したことを特徴とするパチンコ機」
で一致し、以下の点で相違する。
　　(i)本願発明は、遊技制御回路及び本体制御回路から管理コンピュータ側へ出力される外部出力情報を中継する出力端子として「本体用外部中継基板」と、「遊技用外部中継端子部」とを別個に有しているのに対し、刊行物１に記載された発明では当該中継基板、中継端子部に関しては明記されていない点、　
　しかも、本願発明は、
　　　（ア）「遊技用外部中継端子部」が、遊技盤に設けられ、
　　　（イ）「本体用外部中継基板」が、前枠背面に設けられている点
　　(ii)遊技制御回路の配設個所として、本願発明は、遊技盤の背面に突き出した遊技装置を避けた位置の遊技盤に配置しているのに対し、刊行物１に記載された発明は裏機構盤に配設している点
　　(iii)遊技制御回路基板を収設する遊技制御回路ボックスに関して、本願発明では、内部を透視可能な合成樹脂で形成しているのに対し、引用例に記載されて発明では、当該ボックスに関する記載は認められない点　　
　　　
　　　
［４］相違点の検討
　相違点(i)について、
　前記（２−７）に記載したように、刊行物２に記載されている「接続端子板」は、機能的に本願発明における「本体用外部中継基板」、「遊技用外部中継端子部」に相当するものであり、配線の整理、遊技盤交換時の電気的接続の効率等の観点から、当該端子板を刊行物１に適用する点に困難性は認められない。
　しかも、接続端子板、すなわち複数の電気的部品をコネクタによって接続することにより配線の便を図る中継用基板を、遊技内容関係、コイン制御関係と機能別に複数設けることは、（３−１）、（３−２）に記載されているから、刊行物１に接続端子板、すなわち中継用基板を適用する際に、役物制御関係、賞球払出制御関係等の機能別に中継用基板を配設する点に困難性は認められない。
　さらに、中継用基板を複数配設した場合に当然生じる各基板配置に関しては、前記（２−７）に記載したように中継用基板の配設箇所は適宜為し得る設計的事項であり、しかも、遊技関係の中継用基板を遊技板に、コイン関係の中継用基板を、コイン検出器、コイン排出機の近傍に各々配置することも前記（３−１）、（３−２）、及び第２図から明らかであること等を勘案すれば、遊技に関する中継用基板である「遊技用外部中継端子部」を遊技板に配設することは当業者が適宜為しえる程度の事項である。
　また、「本体用外部中継基板」の配設については、本願明細書【００３３】の欄に、「・・・電源や管理コンピュータ等の外部とはリヤプレート２３の上部角部に設けた本体用外部中継基板９５及び遊技盤１２の上方角部に設けた遊技用外部中継端子部９６を介して接続してある。・・・」と記載されており、前記のように、当該リアプレート２３は、刊行物１の裏機構盤に相当すると認められ、しかも、裏機構盤には、入賞処理装置各、駆動制御機構、賞球排出制御基板等が取付けられるものであるから、当該リヤプレートに本体用外部中継基板９５を取付ること、すなわち、前枠背面に取付ることは当業者が容易に為し得ることであり、加えるに、当該中継基板の配設箇所としてリヤプレート、すなわち、前枠背面と特定したことによる格別の作用効果も認められない。
　したがって、当該相違点は格別のものではない。
　相違点(ii)について、
　前記（１−１）、（１−７）に記載されるように遊技板が交換されるものである以上、遊技板の遊技に対応する制御回路は、遊技板の交換と共に不要となるものであるから、遊技盤の交換の際に、当該制御回路の除去忘れ防止との観点に立てば、遊技盤とともに除去されることが確実になるように当該制御回路を遊技板に配設することは当業者が容易に為し得ることであり、しかも、遊技板に機器を配設する際、遊技板から遊戯機器が突出した箇所を避けて配設することは、刊行物４、第２図にも示されるように慣用されている事項である。
　したがって、当該相違点も格別のものではない。
　相違点(iii)について、
　前記（４−１）に記載されるように、遊技内容を制御するＣＰＵ等に貼りつけられた封印紙の異常の有無をケース外から検査できるように、当該ケースを透明な樹脂製とすることは周知の事項であるから、当該周知事項を刊行物１の役物制御装置に適用することは当業者ならば適宜為しえる程度の事項である。　
　したがって、当該相違点も格別のものではない。　　
　　　
　　　
［５］当審の判断
　したがって、本願発明は、引用刊行物に記載された発明に基づいて当業者が容易に発明をすることができたものであるので、特許法第２９条第２項の規定により特許を受けることができない
　よって、結論のとおり審決する。